(57)【特許請求の範囲】
【請求項１】
通信システムであって、
デジタルペンを接続し、ネットワーク接続された第一の通信端末と、
デジタルペンを接続し、ネットワーク接続された第二の通信端末と、
前記第一の通信端末、前記第二の通信端末とネットワーク接続されたサーバと、を有し、
前記第一の通信端末は、デジタルペンから入力された第一のデータを前記サーバに送信し、
前記サーバは前記第一のデータを画像化して第一の画像情報を生成して前記第二の通信端末へ送信し、
前記第二の通信端末は、受信した前記第一の画像情報に対しデジタルペンから入力された第二のデータを前記サーバに送信し、
前記サーバは前記第二のデータを画像化し、前記第一の画像と合成して第三の画像情報を生成し、前記第一の通信端末へ送信する、
ことを特徴とする通信システム。
【請求項２】
通信システムにおける画像転送方法であって、
前記通信システムは、
デジタルペンを接続し、ネットワーク接続された第一の通信端末と、
デジタルペンを接続し、ネットワーク接続された第二の通信端末と、
前記第一の通信端末、前記第二の通信端末とネットワーク接続されたサーバと、を有し、
前記第一の通信端末は、デジタルペンから入力された第一のデータを前記サーバに送信し、
前記サーバは前記第一のデータを画像化して第一の画像情報を生成して前記第二の通信端末へ送信し、
前記第二の通信端末は、受信した前記第一の画像情報に対しデジタルペンから入力された第二のデータを前記サーバに送信し、
前記サーバは前記第二のデータを画像化し、前記第一の画像と合成して第三の画像情報を生成し、前記第一の通信端末へ送信する、
ことを特徴とする画像送受信方法。
【発明の詳細な説明】
【技術分野】
【０００１】
本発明は、デジタルペンを用いた手書き画像による通信システムおよび画像送受信方法に関する。
【背景技術】
【０００２】
近年、ブロードバンドネットワークの普及に伴い、様々な機器がインターネットに接続され、コンテンツの取得やメールに代表されるコミュニケーションが普及しつつある。しかし、テレビに代表されるＡＶ機器には従来、コミュニケーションのための文字入力手段が無いため、特許文献１では、ＧＵＩを用いたソフトキーボードによる文字入力手段が報告されている。また、特許文献２では、デジタルペンを用いた手書き文字によるサイン管理の方法が報告されている。
【先行技術文献】
【特許文献】
【０００３】
【特許文献１】特開２００９−１００２８６公報
【特許文献２】特開２００５−１２２５５２公報
【発明の概要】
【発明が解決しようとする課題】
【０００４】
従来の発明では、画面上のソフトキーボードによる文字入力は、リモコンを用いる必要があり、所望の文字を入力するためにカーソルキーを上下左右に移動させる必要があるため、文字入力の操作が煩雑であった。また、デジタルペンを用いた手書き文字の電子データ入力には、一般に専用のアプリケーションを動作させるための高速な演算処理を有するコンピュータを用いる必要であった。このため、ＡＶ機器を用い簡易なコミュニケーションを行うことができなかった。
【課題を解決するための手段】
【０００５】
上記目的を解決するために、例えば特許請求の範囲に記載の構成を採用する。
【発明の効果】
【０００６】
本発明によれば、デジタルペンで作成した画像による簡易なコミュニケーションが可能となる。
【図面の簡単な説明】
【０００７】
【図１】本発明の実施例を用いたシステム全体の構成図の例である。
【図２】第一の実施例を実現した装置の例である。
【図３】第一の実施例における画像コミュニケーションの説明図の例である。
【図４】第一の実施例における画像合成の編集画面の説明図の例である。
【図５】第一の実施例における確認画面の説明図の例である。
【図６】第一の実施例における送信済画面の説明図の例である。
【図７】第一の実施例における画像合成で使用するテーブルの説明図の例である。
【図８】第一の実施例におけるシステムの動作フロー図の例である。
【図９】第二の実施例を実現した装置の例である。
【発明を実施するための形態】
【０００８】
以下、本発明の実施例を図面を用いて説明する。
【実施例１】
【０００９】
図１は、本発明の実施例である本発明の実施例を用いたシステム全体の構成図の一例である。
本システムは、第一の通信端末１０１、第一の通信端末１０１に接続された第一のデジタルペン１０２、第一の通信端末１０１と同一構成の第二の通信端末１０５、第二の通信端末１０５に接続された第二のデジタルペン１０６、サーバ１０４、インターネット１０３、から構成される。
【００１０】
第一の通信端末１０１と第二の通信端末１０５は、異なる家に設置されることを想定している。
第一の通信端末１０１、第二の通信端末１０５は、無線、あるいは有線を介した通信路によりインターネット１０３に接続されている。
【００１１】
サーバ１０４は、たとえば、ブレードサーバのような固定式のコンピュータや、メインフレームのようなコンピュータ、ＰＣサーバである。
第一の通信端末１０１、第二の通信端末１０５は、放送波を受信して表示するＴＶやセットトップボックスのような入力装置と表示装置を備えた機器である。
【００１２】
第一の通信端末１０１と第二の通信端末１０５で手書き文字によるコミュニケーションを行う場合、第一のデジタルペン１０２で入力された手書き文字データは、第一の通信装置１０１からサーバ１０４に送信され、前記手書き文字データはサーバ１０４で画像化した後、第二の通信端末１０５がサーバ１０４に接続することにより、第一の通信端末１０１から第二の通信端末１０５に送信された手書き文字画像を受信し、表示することにより行われる。
【００１３】
さらに、第二の通信端末１０５は受信した画像の送信元である第一の通信端末１０１に第二のデジタルペン１０６で入力した手書き文字データを送信することにより、第一の通信端末１０１からサーバ１０４を介し、第二の通信端末へ伝えられる経路と同様の処理を行い、双方向の手書き文字画像によるコミュニケーションが可能である。
【００１４】
図２は、サーバ１０４、第一の通信端末１０１の詳細図の例である。
サーバ１０４は、ハードディスク等の記憶部２０８に記憶されたコンテンツを管理するコンテンツ管理部２０３と、記憶部２０８に記憶されたコンテンツを通信端末に提供するＷＥＢサーバ２０１と、手書き画像を送受信する通信端末の識別情報を管理する送受信管理部２０２と、インターネット１０３と接続するネットワーク接続部２０４と、通信端末に接続されたデジタルペンからデータを取得するデジタルペンデータ取得部２０６と、前記デジタルペンデータ取得部２０６から取得した手書き文字画像と、前記コンテンツ管理部２０３に記憶された通信端末向け画像とを合成する画像合成部２０５からなる。
【００１５】
第一の通信端末１０１は、インターネット１０３と接続するネットワーク接続部２１０と、前記ネットワーク接続部２１０から受信したコンテンツを描画するブラウザ２１１と、前記ブラウザ２１１で描画した画像を表示する映像表示部２１２と、第一のデジタルペン１０２を接続する外部機器接続部２１３と、リモコン、マウス、キーボード等２１５からの入出力を処理する入出力管理部２１４からなる。
【００１６】
入出力管理部２１４は、マウス、キーボードからの入力については、第一の通信端末１０１で処理してもよいし、第一の通信端末１０１で処理することなく、クリックされた場合の座標情報や、キーボードの入力情報をそのままサーバ１０４に送信し、サーバ１０４の図示しない入出力処理部で、送信された座標情報、入力情報等を処理することもできる。このような構成はThin Clientと呼ばれる装置として実現されている。
【００１７】
外部機器接続部２１３は、第一の通信端末１０１に接続された第一のデジタルペン１０２から入力されたデータを受信する。なお、デジタルペンから入力されるデータは画像データではなく、例えば紙面に記入されたペンの座標軌跡データである。ネットワーク接続部２１０は、デジタルペンから受信したデータを、画像化することなく、サーバ１０４に送信する。サーバ１０４のネットワーク接続部２０４で受信したデータは、デジタルペンデータ取得部２０６で画像化された後、第一の通信端末１０１宛に送信される。なお、デジタルペンデータ取得部２０６で画像化されるデータは、例えばＪＰＥＧ、ＴＩＦＦなどのビットマップデータである。
【００１８】
また、画像合成部２０５は、コンテンツ管理部２０３に管理された画像と受信されたデジタルペンから入力されたデータとを、送受信管理部２０２で管理された宛先への画像データとして、コンテンツ管理部２０３に記憶する。サーバ内の動作はＷＥＢサーバ２０１を介して行われる。
なお、第二の通信端末１０５の詳細構成は、第一の通信端末１０１と同等である。
【００１９】
次に、画像を使ったメールに対してデジタルペンで作成した画像を合成してメール送信する動作について説明する。
図８はシステムの動作フロー図の例である。
【００２０】
まず、第一の通信端末１０１においては処理１０００が、サーバ１０４においては処理１１００が実行される。以下、フローチャートに従い説明する。
サーバ１０４のネットワーク接続部２０４は、第一の通信端末１０１宛のビデオ画像が添付されたメールを受信する（Ｓ１１０１）。第一の通信端末１０１のネットワーク接続部２０４は、サーバ１０４に接続することにより、画像を受信する。映像表示部２１２は、該受信画像を表示装置上に表示する（Ｓ１００１）。
【００２１】
サーバ１０４のコンテンツ管理部２０３は、該受信画像を取得し、記憶部２０８に記憶する（Ｓ１１０２）。送受信管理部２０２は、該受信画像を送付した送信元のメールアドレスを取得し、記憶部２０８に記憶する（Ｓ１１０３）。
【００２２】
次に、入出力管理部２１４が、ユーザからの返信指示を受信した場合（Ｓ１００２）、外部機器接続部２１３は、ネットワーク接続部２１０を介し、サーバ１０４に対しデジタルペンの情報取得を指示する情報を送信する（Ｓ１００３）。サーバ１０４のデジタルペンデータ取得部２０６は、ＷＥＢサーバ２０１を介して受け取ったデジタルペンの情報取得指示情報に応じて、デジタルペンデータ取込待機状態になる（Ｓ１１０４）。
【００２３】
第一の通信端末１０１の外部機器接続部２１３は、デジタルペンデータを取込み（Ｓ１００４）、この取り込んだデータをサーバ１０４に送信する。サーバ１０４のデジタルペンデータ取得部２０６は、送信された該デジタルペンデータを取得し画像化する（Ｓ１１０５）。
【００２４】
次に、第一の通信端末１０１の入出力管理部２１４が、受信画像とデジタルペン画像を同時に表示する旨の指示を受信した場合、画像合成の編集を行う指示情報をサーバに送信する（Ｓ１００５）。ネットワーク接続部２１０は、サーバ１０４から確認画面を取得する（１００５ａ）。
【００２５】
次に、ユーザが、リモコン２１５を操作することによりデジタルペン画像を画面上で移動し、画像を編集することに伴い、ブラウザ２１１は、画面上の位置情報を取得し、サーバ１０４に位置情報を送信する（Ｓ１００６）。サーバ１０４のデジタルペンデータ取得部２０６は、編集されたデジタルペンの入力情報または、移動された位置情報を受信し、画像合成部２０５は、受信した位置情報に基づき、受信画像とデジタルペン画像を合成した合成画像を作成する（Ｓ１１０６）。その後画像合成部２０５は、第一の通信端末１０１に該合成画像を配信する（Ｓ１１０７）。
【００２６】
第一の通信端末１０１の映像表示部２１２は、該合成画像を含む確認画面を表示する（Ｓ１００７）。ここで、入出力管理部２１４が位置編集の再試行の指示を受信した場合（Ｓ１００８）、現在の編集情報を破棄し、Ｓ１００５に戻る。また再取込指示を受信（Ｓ１００９）した場合、Ｓ１００３に戻り、デジタルペンデータの再取込みを実行する。
【００２７】
入出力管理部２１４が送信指示を受信した場合、入出力管理部２１４は、送信指示情報をサーバ１０４に送信する（Ｓ１０１０）。サーバ１０４の送受信管理部は受信した送信指示に応じて、合成画像を含むメールを作成して送信処理を行う（Ｓ１１０８）。このときメールの送信先は、Ｓ１１０３にて取得したメールアドレスに対して行うことにより、メールの返信処理を実現することができる。
【００２８】
そして、送受信管理部２０２は送信済画面を作成し、第一の通信端末１０１に配信する（Ｓ１１０９）。端末側の映像表示部２１２は、該送信済画面を画面に表示する（Ｓ１０１２）。
以上の動作により、画像を使ったメールに対してデジタルペンで作成した画像を合成してメール送信する仕組みを実現することができる。
【００２９】
なお、送信先が第一の通信端末１０１と同等の構成である第二の通信端末１０５の場合、Ｓ１１０８で行う送信処理は、Ｓ１１０６で合成した画像をコンテンツ管理部２０３が記憶部２０８に記憶し、該画像コンテンツの送信先が第二の通信端末１０５であることを送受信管理部２０２が記憶部２０８に記憶する。第二の通信端末１０５はサーバ１０４に接続することにより自身宛の画像コンテンツを取得し、表示する。本処理により、第一の通信端末１０１と第二の通信端末１０５の間で手書き文字画像を用いたコミュニケーションが実現できる。
【００３０】
次に、本発明における映像表示部２１２で表示する画面例を図３、図４、図５、図６を用いて説明する。図３、図４、図５、図６で説明する画面例は、ブラウザ２１１で描画し、その画面の構成は、たとえばＨＴＭＬのようなハイパーテキストドキュメントによって記述したりＦＬＡＳＨのようなアプリケーションを使って構成してもよい。
【００３１】
図３において、画像コミュニケーションのアプリケーションを起動すると、第一の通信端末１０１の映像表示部２１２に表示領域８００を表示する。表示領域８００は、少なくとも１つ以上の画像８０１と、返信を指示する返信ボタン８０２とから構成される。画像８０１は、図８におけるＳ１００１において、サーバ１０４から受信した画像８０１を表示する領域である。
【００３２】
画像８０１は、動画であったり静止画でもよく、要するに表示画面上にイメージとして表示できる表示形式であればよい。たとえば、DV、MPEG、AVI、QuicktimeMovieなどの動画フォーマットや、JPEG、PICT、BMP、GIF、PNGなどの静止画フォーマットで表現される。返信ボタン８０２は、ＧＵＩ上でユーザが指示を出すために設けられたボタンであり、該返信ボタン８０２の押下を入出力管理部２１４が検知することにより、図８のＳ１００２を実行し、次の画面である図４へ画面を遷移する。
【００３３】
図４において、図８のＳ１００５を実行すると、第一の通信端末１０１の映像表示部２１２に表示領域９００を表示する。表示領域９００は、図８のＳ１１０２で取り込んだ画像８０１とＳ１１０５で取り込んだデジタルペン画像９０２を合成する画面であり、画像９０１と、デジタルペン画像９０２と、デジタルペン画像９０２を右に動かす右ボタン９０４と、左に動かす左ボタン９０６と、上に動かす上ボタン９０３と、下に動かす下ボタン９０５と、デジタルペン画像９０２の表示重なり階層を１つ下にする下方ボタン９０９と、デジタルペン画像９０２の表示重なり階層を１つ上にする上方ボタン９０８と、画像の合成を実行する確定ボタン９０７とから構成される。
【００３４】
デジタルペン画像９０２は、動画であったり静止画でもよく、要するに表示画面上にイメージとして表示できる表示形式であればよい。たとえば、DV、MPEG、AVI、QuicktimeMovieなどの動画フォーマットや、JPEG、PICT、BMP、GIF、PNGなどの静止画フォーマットで表現される。右ボタン９０４は、デジタルペン画像９０２の表示位置をＸ方向に右にずらして表示する機能を提供するボタンである。入出力管理部２１４は、右ボタン９０４の押下を検知した場合には、右ボタン９０４の押下に対応する情報を、サーバ１０４に送信する。情報を受信した画像合成部２０５は、後述の図７における画像情報７１０の表示オフセット（ＤＸ）７２５の値を＋１する。
【００３５】
左ボタン９０６は、デジタルペン画像９０２の表示位置をＸ方向に左にずらして表示する機能を提供するボタンである。入出力管理部２１４は、左ボタン９０６の押下を検知した場合には、左ボタン９０６の押下に対応する情報を、サーバ１０４に送信する。情報を受信した画像合成部２０５は、後述の図７における画像情報７１０の表示オフセット（ＤＸ）７２５の値を−１する。
【００３６】
上ボタン９０３は、デジタルペン画像９０２の表示位置をＹ方向に上にずらして表示する機能を提供するボタンである。入出力管理部２１４は、上ボタン９０３の押下を検知した場合には、上ボタン９０３の押下に対応する情報を、サーバ１０４に送信する。情報を受信した画像合成部２０５は、後述の図７における画像情報７１０の表示オフセット（ＤＹ）７２６の値を−１する。
【００３７】
下ボタン９０５は、デジタルペン画像９０２の表示位置をＹ方向に下にずらして表示する機能を提供するボタンである。入出力管理部２１４は、下ボタン９０５の押下を検知した場合には、下ボタン９０５の押下に対応する情報を、サーバ１０４に送信する。情報を受信した画像合成部２０５は、後述の図７における画像情報７１０の表示オフセット（ＤＹ）７２６の値を＋１する。
【００３８】
この上ボタン９０３、下ボタン９０５、右ボタン９０４、左ボタン９０５により、デジタルペン画像９０２とビデオ画像９０１の画面上の表示位置をどこにするかを決定することが可能となり、画像を上下左右に移動することが可能となる。
【００３９】
下方ボタン９０９は、デジタルペン画像９０２を表示する重なり順番を前後する機能を提供するボタンである。入出力管理部２１４は、下方ボタン９０９の押下を検知した場合には、下方ボタン９０９の押下に対応する情報を、サーバ１０４に送信する。情報を受信した画像合成部２０５は、後述の図７における画像情報７１０の重ね合わせ順序（Ｚ）の値を−１する。
【００４０】
上方ボタン９０８は、デジタルペン画像９０２を表示する重なり順番を前後する機能を提供するボタンである。入出力管理部２１４は、上方ボタン９０８の押下を検知した場合には、上方ボタン９０８の押下に対応する情報を、サーバ１０４に送信する。情報を受信した画像合成部２０５は、後述の図７における画像情報７１０の重ね合わせ順序（Ｚ）の値を＋１する。
この下方ボタン９０９、上方ボタン９０８により、画像９０１とデジタルペン画像９０２のどちらを下に表示して、どのように重ね合わせるかを表現することが可能となる。
【００４１】
確定ボタン９０７は、上記上ボタン９０３、下ボタン９０５、右ボタン９０４、左ボタン９０５、上方ボタン９０８、下方ボタン９０９により設定されたデジタルペン画像９０２と画像９０１の表示位置を確定する。つまり、入出力管理部２１４は、確定ボタン９０７の押下を検知した場合には、確定ボタン９０７の押下に対応する情報を、サーバ１０４に送信する。情報を受信した画像合成部２０５は、後述の図７における画像情報７１０の表示位置（Ｘ）７２３に対し表示オフセット（ＤＸ）７２５を足し合わせて上書きし、同時に後述の図７における画像情報７１０の表示位置（Ｙ）７２４に対し表示オフセット（ＤＹ）７２６を足し合わせて上書きして画像情報７１０を確定する。
【００４２】
上記上ボタン９０３、下ボタン９０５、右ボタン９０４、左ボタン９０５、上方ボタン９０８、下方ボタン９０９、確定ボタン９０７を押下することにより、図８のＳ１００７を実行し、次の画面である図５へ画面を遷移する。
【００４３】
なお、本画面例では座標位置、重なり位置の例を説明したが、この他にも指示ボタンを追加することにより、画像の拡大縮小、ガンマ補正やエッジ補正などの色補正等の画像編集を行うことも可能である。
【００４４】
図５において、図８の確認画面の表示（Ｓ１００７）を実行すると、第一の通信端末１０１の映像表示部２１２に表示領域９５０を表示する。表示領域９５０は、図８のＳ１１０６で合成して生成された合成画像９５１と、位置編集（Ｓ１００５）の再試行を実行する再試行ボタン９５３と、デジタルペン画像９０２をＳ１００３で改めて取り込みなおす指示を出す取込ボタン９５４と、合成画像９５１を使ってメールを送信する送信ボタン９５５とから構成される。
【００４５】
合成画像９５１は、図４で説明した受信画像９０１とデジタルペン画像９０２を、後述のテーブル７００に格納した画像情報７１０を使って画面上に表示したものであり、それぞれの表示位置は、画像情報７１０の表示位置（Ｘ）７２３、表示位置（Ｙ）７２４、表示オフセット（ＤＸ）７２５、表示オフセット（ＤＹ）７２６、及び重ね合わせ順序（Ｚ）７２７により決定される位置となる。
【００４６】
入出力管理部２１４が再試行ボタン９５３の押下を検知することにより、図４の編集画面にもどり、画像合成部２０５は、再度画像９０１とデジタルペン画像９０２の表示位置を調整する。入出力管理部２１４が取込ボタン９５４の押下を検知することにより、外部機器接続部２１３、デジタルペンデータ取得部２０６により、デジタルペン画像９０２をＳ１００４により改めて取り込みなおす。入出力管理部２１４が送信ボタン９５５の押下を検知することにより、送受信管理部２０２が、合成画像９５１を使ってメールを送信し、図６に遷移する。
【００４７】
図６において、図８の送信済画面の表示（Ｓ１０１２）を実行すると、第一の通信端末１０１の映像表示部２１２に表示領域８５０を表示する。表示領域８５０は、メールの送信を終了したことを表す送信完了領域８５１と、画像コミュニケーションの開始画面（図示せず）を表示する受信一覧ボタン８５２とから構成される。受信一覧ボタン８５２は、押下することにより画像コミュニケーションの開始状態に遷移する。
【００４８】
図７は画像合成で使用するテーブルの説明図の例である。
テーブル７００は、１つあるいは複数の画像情報７１０から構成される。画像情報７１０は、画像名７２１、画像ファイル名７２２、表示位置（Ｘ）７２３、表示位置（Ｙ）７２４、表示オフセット（ＤＸ）７２５、表示オフセット（ＤＹ）７２６および重ね合わせ順序（Ｚ）７２７とから構成される。画像名７２１は、画像情報７１０が指し示す画像の名称を表す。画像ファイル名７２２は、該画像情報７１０が指し示す画像の、記憶部２０８に格納された画像ファイルのファイルパスを表す。
【００４９】
表示位置（Ｘ）７２３は、画像情報７１０が指し示す画像を、表示装置上のどの位置に配置するかを表す情報の一つで、横方向を表すX軸の値を表す数値である。たとえば、この値が１００であれば、画面左から１００ドットはなれた位置に画像が表示されることを表す。表示位置（Ｙ）７２４は、画像情報７１０が指し示す画像を、表示装置上のどの位置に配置するかを表す情報の一つで、縦方向を表すＹ軸の値を表す数値である。たとえば、この値が１００であれば、画面上から１００ドットはなれた位置に画像が表示されることを表す。
【００５０】
表示オフセット（ＤＸ）７２５は、前記表示位置（Ｘ）７２３の値にこの値を加えた位置に画像を表示することを表す数値であり、この値を操作することにより画像を左右方向に移動することができる。表示オフセット（ＤＹ）７２６は、前記表示位置（Ｙ）７２４の値にこの値を加えた位置に画像を表示することを表す数値であり、この値を操作することにより画像を上下方向に移動することができる。
【００５１】
重ね合わせ順序（Ｚ）７２７は、画像をどの重なり順番で表示するかを表す数値である。たとえば、この値が２であれば、該画像情報７１０が指し示す画像は２番目に表示される。これにより、複数の画像をどの重なり順番で表示すればよいかを把握できる。
以上により、デジタルペンで作成した画像による簡易なコミュニケーションが可能となる。
【００５２】
なお、本実施例で説明した画像合成をコンテンツ管理部２０３のコンテンツを用いず、デジタルペンのデータのみを用いることにより、手書き文字画像のみを送受信可能なことは、いうまでもない。
【実施例２】
【００５３】
図９は、第二の実施例を実現した装置の図である。
第一の実施例における図２と異なる箇所のみ説明する。
サーバ１０４は電子メール送受信部２０７を有し、一般的なメール受信手段であるＳＭＴＰ、ＰＯＰを仲介する。具体的には、図８におけるＳ１１０８で行う送信処理は、送信先が第一の通信端末１０１と同等の構成でない通信端末に送信処理を行う場合、Ｓ１１０６で合成した画像を、送受信管理部２０２に記憶した送信先に対し、一般的なメール送信手段であるＳＭＴＰで画像付きメールとして送信する。
【００５４】
受信の場合はこの逆でＰＯＰで受信した画像付きメールを画像、コンテンツとして、コンテンツ管理部２０３に記憶し、該コンテンツの送信先と送信元を送受信管理部２０２に記憶する。
その他の箇所は、第一の実施例と同様なので省略する。
以上により、一般的なメールプロトコルを用いるパソコン、携帯電話に対し、デジタルペンを用いた簡易なメールコミュニケーション手段を実現できる。
【００５５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５６】
また、上記の各構成、機能等は、それらの一部又は全部を、例えば集積回路で設計する等によりハードウェアで実現してもよい。また、上記の各構成、機能等は、プロセッサがそれぞれの機能を実現するプログラムを解釈、実行することによりソフトウェアで実現してもよい。各機能実行時には、対応するプログラム、テーブル、ファイル等の情報は通信装置１０１、１０５やサーバ１０４の図示しない等のメモリまたはキャッシュメモリに置くことができる。非実行時には、各機能を実現するプログラム、テーブル、ファイル等の情報は、通信装置１０１、１０５やサーバ１０４のメモリや、ハードディスク等の記憶装置２０８等、または、ＩＣカード装置等に置くことができる。
【００５７】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５８】
１０１…第一の通信端末
１０２…第一のデジタルペン
１０３…インターネット
１０４…サーバ
８００…画像コミュニケーション画面
８５０…送信済画面
９００…編集画面
９５０…確認画面
【図１】
0005596325.tif 000002
【図２】
0005596325.tif 000003
【図３】
0005596325.tif 000004
【図４】
0005596325.tif 000005
【図５】
0005596325.tif 000006
【図６】
0005596325.tif 000007
【図７】
0005596325.tif 000008
【図８】
0005596325.tif 000009
【図９】
0005596325.tif 000010